(57)【要約】      （修正有）【課題】陽圧缶，負圧缶全ての飲料缶のタブを，小さな力で老若男女だれにでも容易に爪先で引き越しが出来る新規な缶蓋を提供することにある。【解決手段】蓋板側基端部とタブ側基端部２０ｅとの段差を，折曲げ曲線部及び折込み曲線部を介して略傾斜状に結び，タブの操作部を引き起こしたときタブ先端部が下方に沈み込むことが出来るよう，蓋板上面にタブ先端部に倣った凹状溝部１５を設け，タブの操作部の引き起こしのため，小さな力で爪先が容易にタブの引き越しが出来るようにする。【選択図】図１
2014108828.tif 000002
【特許請求の範囲】
【請求項１】
蓋板（１２）の上面に折り曲げ可能な取付片（２０）を介して取り付けたタブ（２）を，タブ後部の操作部（２１）を軽く引き起こし，取付片（２０）を支点として回動させ，タブ先端部（２２ｂ）と蓋板側基端部（２０ｂ）とで均衡状態となって最大の引き上げ力が集中された蓋板側基端部（２０ｂ）で，操作部（２１）をほぼ垂直に引き起こし，切れ目線（１０）の破断部（１０ｄ）を初期切断し，引き続き開口部（１１）の側面部より切断しつつ缶本体内に折り込み開口を完了する缶蓋において，
タブの操作部（２１）を強く引き起こしたとき，折曲げ曲線部（２０ｃ）が変形し，取付片（２０）と押圧部（２２）が引き裂かれることがないよう，また初期切断が容易に行なわれるように，平坦な押圧部（２２）の上面の中心線Ｌ上に折曲げ曲線部（２０ｃ）及び折込み曲線部（２０ｄ）を起点に，蓋板（１２）の上面に密着して先端部（２２ｂ）に向け，位置決め用直線凹状溝部（２０ｋ）を形成したことを特徴とする缶蓋。
【請求項２】
請求項１に記載の缶蓋において，前記蓋板側基端部（２０ｂ）を形成する折込み曲線部（２０ｄ）及び折曲げ曲線部（２０ｃ）を介して折り曲げ，操作部（２１）が容易に引き越しが出来るよう，タブ先端部（２２ｂ）の真下の蓋板（１２）の上面に，タブ先端部（２２ｂ）に倣った凹状溝（１５）を形成し，操作部（２１）を引き起こしたときタブ先端部（２２ｂ）が凹状溝部（１５）に沈み込むようにしたことを特徴とする缶蓋。
【請求項３】
請求項１及び請求項２に記載の缶蓋において，前記タブ（２）の操作部（２１）を指先による引き起こし角度をより大きくし指先が一層掛け易くするため，タブ先端部（２２ｂ）の厚さをタブ本体の厚さよりも薄く，下側に段差（２２ｃ）を形成したことを特徴とする缶蓋。
【発明の詳細な説明】
【技術分野】
【０００１】  本発明は，ビール，コーラ，コーヒー等の飲料缶の易開封式の缶蓋（イージーオープンエンド）に関するものである。
【背景技術】
【０００２】  従来，ビール，コーラ，コーヒー等の飲料缶の缶蓋は，タブ機構による易開封な缶蓋として構成されている。【０００３】  飲料缶のイージーオープンエンドは，スティオンタブ方式が殆どで，タブが蓋板に固着されており，この固着部前方からタブ先端の押圧部方向に向けて蓋板の切れ目線により破断部が形成されている。タブ後方の操作部を引き起こすことにより固着部前部とタブ前部の押圧部によって切断される。引き続きタブを垂直に引き起こすことにより切れ目線は順次切り裂かれ，開口片は缶本体内に折り込まれて缶が開口され，次いでタブが再度元の位置に折り戻されて開口が完了するものである。
【発明の開示】
【発明が解決しようとする課題】
【０００４】  ところで，ステイオンタブ方式の問題は，開口片を形成する切れ目線を初期切断するためにタブが引き起こされ回動する際，指先を蓋板とタブの操作部の下部に差し込むための遊びが無く，丁度蓋板に密着した板バネを引き起こすことに似ており，タブの操作部の下に指の爪先を入れてタブを引き起こすには，人により大きな力の負担で，特に幼児高齢者には開口が出来ないとゆう点にある。本来望まれているバリアフリー，つまり誰でも様々な方法で簡単に指先で開口することが出来るとゆう域に達していないのが現状である。【０００５】  本発明は，このような事情に鑑みなされたものであり，その目的は，タブをより小さな力で老若男女誰でも簡単に引き起こすことが出来るユニバーサルデザインの缶蓋を提供することにある。
【課題を解決するための手段】
【０００６】  上記目的を達成するため，本発明の缶蓋は，次のように構成したものである。
（１）請求項１に記載の発明は、蓋板（１２）の上面に折り曲げ可能な取付片（２０）を介して取り付けたタブ（２）を，タブ後部の操作部（２１）を軽く引き起こし，取付片（２０）を支点として回動させ，タブ先端部（２２ｂ）と蓋板側基端部（２０ｂ）とで均衡状態になって最大の引き上げ力が集中された蓋板側基端部（２０ｂ）で，操作部（２１）をほぼ垂直に引き起こし，切れ目線（１０）の破断部（１０ｄ）を初期切断し，引き続き開口部（１１）の側面部より切断しつつ缶本体内に折り込み開口を完了する缶蓋において，
タブの操作部（２１）を強く引き起こしたとき，折曲げ曲線部（２０ｃ）が変形し，取付片（２０）と押圧部（２２）が引き裂かれることがないよう，また初期切断が容易に行なわれるように，平坦な押圧部（２２）の上面の中心線Ｌ上に折曲げ曲線部（２０ｃ）及び折込み曲線部（２０ｄ）を起点に，蓋板（１２）の上面に密着して先端部（２２）に向け，位置決め用直線凹状溝部（２０ｋ）を形成したことを特徴としたものである。
また，前記蓋板側基端部（２０ｂ）を形成する折込み曲線部（２０ｄ）及び折曲げ曲線部（２０ｃ）を介して折り曲げ，操作部（２１）が容易に引きお越しが出来るよう，タブ先端部（２２ｂ）の真下の蓋板（１２）の上面に，タブ先端部（２２ｂ）の形状に倣った傾斜状凹状溝部（１５）を形成し，操作部（２１）を引き起こしたときタブ先端部（２２ｂ）が凹状溝部（１５）に沈み込むよう形成されていることが好ましい（請求項２）。
また，前記タブ（２）の操作部（２１）を指先による引き起こし角度をより大きくし指先が一層掛け易くするため，タブ先端部（２２ｂ）の厚さをタブ本体の厚さよりも薄く，下側に段差（２２ｃ）を形成されていることが好ましい（請求項３）。
【発明の効果】
【０００７】  以上説明したように本発明によれば，次のような優れた効果を奏する。
（１）請求項１及び請求項２記載の発明によれば，蓋板に取り付けられたタブは引きお越しが軽くなるよう，蓋板側基端部とタブ側基端部との段差を折曲げ曲線部を介して略傾斜状に結び，タブの操作部を引き起こしたときタブ先端部が下方に沈み込むことが出来るよう，蓋板上面に凹状溝部を設けてタブの引き起こしを容易にすることが出来る。
（２）タブを従来のものよりも小さくすることが出来るため，コストの削減及び地球温暖化の防止に貢献することが出来る。
【発明を実施するための最良の形態】
【０００８】  以下，本発明を実施するための最良の形態を添付図面に基ずいて詳述する。
図１乃至図９に本発明の実施形態を示す。【０００９】〈蓋板１２〉
図１乃至図３に示すように，蓋板１２の開口部１１は，蓋板１２の中心をほぼ含む略Ｕ字状に刻印された切れ目線１０により形成されており，蓋板１２の中心線Ｌの中心部に，タブ２の取付片２０を蓋板１２に取り付けるタブ加締部１４が形成されており，前記タブ２のタブ先端部２２ｂの真下の蓋板１２の上面に，タブ先端部２２ｂの形状に倣った凹状溝部１５が形成されている。【００１０】  〈タブ２〉
タブ２は，図４乃至図１０に示すように，開口部１１を押圧して蓋板１２から缶本体内に折り込むものである。
図４乃至図６にタブ２の構造を示す。タブ２は図４に示すように短形に形成されている。またタブ加締部１４の後方にタブ２の引き起こしを行なうタブ操作部２１が形成されていると共に，タブ押圧部２２の上面は平坦に形成されており，このタブ押圧部２２からタブ２を蓋板１２に取り付ける取付片２０の折込み曲線部２０ｄとを結ぶ段差を折曲げ曲線部２０ｃで結び，タブ操作部２１を引き起こしたとき，折曲げ曲線部２０ｃに力が集中して変形し，取付片２０と押圧部２２が引き裂かれることがないよう，また初期切断が容易に行なわれるように，平坦な押圧部２２の上面の中心線Ｌ上に折曲げ曲線部２０ｃ及び折込み曲線部２０ｄを起点に，蓋板１２の上面に密着して先端部２２ｂに向け，位置決め用直線凹状溝部２０ｋが形成されている。また操作部２１を指先による引き起こし角度をより大きくし指先が一層掛け易くするため，タブ先端部２２ｂの厚さをタブ本体の厚さよりも薄く，下側に段差２２ｃが形成されている。【００１１】  次に，上記のように構成された缶蓋の開口動作について説明する。
図７に示すように，タブ２の操作部２１を指先で軽く引き起こすと，折込み曲線部２０ｄ及び折曲げ曲線部２０ｃを介しタブ先端部２２ｂは蓋板上面より凹状溝部１５に向け沈み込み均衡状態になる。ここまでの動作は指先に力が殆ど掛かることはない。次に引き起こされた操作部２１に指先を入れ図８に示すように強く引き起こすことにより，タブ先端部２２ｂを支点に蓋板側基端部２０ｂが引き上げられると共に，位置決め用直線凹状溝部２０ｋにより蓋板１２は抑え込まれつつ切れ目線１０ｄが初期切断される。【００１２】  そして従来のように，引き続き開口部１１を押圧し（図９参照），切れ目線の最終端部まで切り裂き，次いでタブ２を元の位置に引き戻し（図１０参照）開口を全て完了する。【００１３】  以上，タブ操作部を指先で軽く引き起こすことにより，全ての人々がタブに十分指先を掛けることが出来容易に開口することが出来，缶容器におけるユニバーサルデザインの一部を成し，貢献出来るよう考えられたものである。
【図面の簡単な説明】
【００１４】
【図１】  本発明の実施形態に係わる飲料缶用の缶蓋を示す平面図である。
【図２】  図１中２−２線矢視断面図である。
【図３】  本発明の実施形態に係わる飲料缶の缶蓋を示す平面図である。
【図４】  本発明の実施形態に係わる飲料缶のタブを示す平面図である。
【図５】  図４中５−５線矢視断面図である。
【図６】  図４中６−６線矢視断面図である。
【図７】  タブを軽く引き起こし，均衡状態を示す図２同様の断面図である。
【図８】  更にタブを引き起こし，初期切断した状態を示す断面図である。
【図９】  初期切断後，更にタブを引き起こし切れ目線最終端部まで折り込んだ状態を示す断面図である。
【図１０】  タブを元に戻した状態を示す断面図である。
【符号の説明】
【００１５】        １缶蓋
２タブ
３缶本体
１０切れ目線
１０ｄ切れ目線破断部
１１開口部
１２蓋板
１４タブ加締部
１５凹状溝部
２０タブ取付片
２０ａ蓋板側固着部
２０ｂ蓋板側基端部
２０ｃ折曲げ曲線部
２０ｄ折込み曲線部
２０ｅタブ側基端部
２０ｋ位置決め用直線凹状溝部
２１操作部
２２押圧部
２２ｂタブ先端部
２２ｃ段差部
Ｌ中心線
【図１】
2014108828.tif 000003
【図２】
2014108828.tif 000004
【図３】
2014108828.tif 000005
【図４】
2014108828.tif 000006
【図５】
2014108828.tif 000007
【図６】
2014108828.tif 000008
【図７】
2014108828.tif 000009
【図８】
2014108828.tif 000010
【図９】
2014108828.tif 000011
【図１０】
2014108828.tif 000012